(57)【要約】【課題】  制御コードの検出を早期に行い、機密情報が複写されてしまうのを防止することができる画像読取り装置を提供する。【解決手段】  原稿載置台に開閉自在に設けられたプラテンカバー１２０が、開状態から所定角度開まで閉じられた状態になるのを検出する角度検出センサ１３０と、プラテンカバー１２０が所定角度になると、原稿載置台上に載置された原稿画像を読み込むスキャナ部１１と、スキャナ部１１によって読み取られた画像データから、原稿画像に埋め込まれた制御コードを検出する制御部１６と、を有する構成としている。このようにプラテンカバー１２０が所定角度になると原稿の画像を読み込んで制御コードを検出するので、原稿の読み込み開始時には、一般原稿か制御コード付きの原稿かを判定することができる。【選択図】        図１
2007166228.tif 000002
【特許請求の範囲】
【請求項１】
原稿載置台に開閉自在に設けられた原稿カバーが、開状態から所定角度開まで閉じられた状態になるのを検出する検出手段と、
前記原稿カバーが所定角度になると、前記原稿載置台上に載置された原稿画像を読み込む読取手段と、
前記読取手段によって読み取られた画像データから、原稿画像に埋め込まれた制御コードを検出する制御手段と、
を有することを特徴とする画像読取り装置。
【請求項２】
前記読取手段は、原稿読み取り終了位置から原稿読み取り開始位置に向けてキャリッジを移動させて画像データを読み取ることを特徴とする請求項１記載の画像読取り装置。
【請求項３】
操作者の操作を入力する操作入力手段を有し、
前記制御手段は、前記原稿カバーが前記所定角度開まで閉じられた状態を検出してから前記操作入力手段によって原稿読み込み開始の入力がなされるまでの時間が所定時間以上であると、原稿の読み取り動作を禁止することを特徴とする請求項１又は２記載の画像読取り装置。
【請求項４】
前記制御手段は、前記原稿カバーが前記所定角度開まで閉じられた状態を検出してから全閉状態となるまでの経過時間が所定時間以上であると、原稿の読み取り動作を禁止することを特徴とする請求項１又は２記載の画像読取り装置。
【請求項５】
原稿載置台に開閉自在に設けられた原稿カバーが、開状態から所定角度開まで閉じられた状態になるのを検出するステップと、
前記原稿カバーが所定角度になると、前記原稿載置台上に載置された原稿画像を読み込むステップと、
読み取られた画像データから、原稿画像に埋め込まれた制御コードを検出するステップと、を有することを特徴とする画像読取り方法。
【発明の詳細な説明】
【技術分野】
【０００１】
本発明は、原稿画像の無断コピーを防止する技術に関する。
【背景技術】
【０００２】
近年、パーソナルコンピュータやプリンタ、複写機など、複写機能を持つ画像形成装置の普及により、書類を複製することが極めて簡単になっている。このような状況においては、著作権が付与された原稿、あるいは“コピー禁止”、“複製厳禁”、“マル秘”などといった無断複製の禁止が要求される原稿（以下まとめて“機密原稿”ともいう）に対しても容易にコピーが行われてしまうという欠点がある。換言すれば、文字列、図形、表、グラフなどを含む原稿画像であって、重要情報が漏洩することを防止する必要がある、いわゆる“機密原稿”の印刷出力（プリントアウト）の不正複製による重要情報（機密内容）の漏洩ということが問題となってきている。したがって、複写機能を持つ画像形成装置には、機密原稿の悪用複製を防止する機能を持たせることが必要である。
【０００３】
例えば、特許文献１では、複写禁止情報（コピー禁止とするか否か）、複写許可条件情報（条件が合致する場合にはコピーを許可するための情報）、潜像情報（コピーすると浮き上がる潜像に関する情報）等の制御コードを画像データの背景地紋パターンとして記録しておいて、コピー可能なユーザを制限する技術を開示している。
【０００４】
【特許文献１】特開２００３−２８０４６９号公報
【発明の開示】
【発明が解決しようとする課題】
【０００５】
しかしながら、読み込んだ画像を一旦メモリに格納して、制御コードが書き込まれているか否かを判定してから画像出力するのでは、ファーストコピーを出力するまでに時間がかかってしまう。
そこで、通常のコピー動作を実行しながら並行して制御コードの検知も行い、制御コードが検出された時点で出力画像をグレーに塗りつぶす技術も提案されている。しかし、制御コードの検出に時間がかかると、用紙に機密情報が複写されてしまうという課題がある。
【０００６】
本発明は上記事情に鑑みてなされたものであり、制御コードの検出を早期に行い、機密情報が複写されてしまうのを防止した画像読取り装置及び画像読取り方法を提供することを目的とする。
【課題を解決するための手段】
【０００７】
かかる目的を達成するために本発明の画像読取り装置は、原稿載置台に開閉自在に設けられた原稿カバーが、開状態から所定角度開まで閉じられた状態になるのを検出する検出手段と、前記原稿カバーが所定角度になると、前記原稿載置台上に載置された原稿画像を読み込む読取手段と、前記読取手段によって読み取られた画像データから、原稿画像に埋め込まれた制御コードを検出する制御手段と、を有する構成としている。
このように本発明は、原稿カバーが所定角度になると原稿の画像を読み込んで制御コードを検出するので、原稿の読み込み開始時には、一般原稿か制御コード付きの原稿かを判定することができる。
【０００８】
上記画像読取り装置において、前記読取手段は、原稿読み取り終了位置から原稿読み取り開始位置に向けてキャリッジを移動させて画像データを読み取るとよい。
原稿読み取り終了位置から原稿読み取り開始位置に向けてキャリッジを移動させて画像データを読み取るので、読み取り開始時には開始位置にキャリッジを配置させることができる。
【０００９】
上記画像読取り装置において、操作者の操作を入力する操作入力手段を有し、前記制御手段は、前記原稿カバーが前記所定角度開まで閉じられた状態を検出してから前記操作入力手段によって原稿読み込み開始の入力がなされるまでの時間が所定時間以上であると、原稿の読み取り動作を禁止するとよい。また、前記制御手段は、前記原稿カバーが前記所定角度開まで閉じられた状態を検出してから全閉状態となるまでの経過時間が所定時間以上であると、原稿の読み取り動作を禁止するとよい。
従って、複写禁止原稿を誤って複写してしまうことがない。
【００１０】
本発明の画像読取り方法は、原稿載置台に開閉自在に設けられた原稿カバーが、開状態から所定角度開まで閉じられた状態になるのを検出するステップと、前記原稿カバーが所定角度になると、前記原稿載置台上に載置された原稿画像を読み込むステップと、読み取られた画像データから、原稿画像に埋め込まれた制御コードを検出するステップとを有している。
【発明の効果】
【００１１】
本発明は、制御コードの検出を早期に行い、機密情報が複写されてしまうのを防止することができる。
【発明を実施するための最良の形態】
【００１２】
添付図面を参照しながら本発明の好適な実施例を説明する。
【実施例】
【００１３】
まず、図１を参照しながら本実施例の構成を説明する。図１に示す本実施例の画像形成装置１は、画像展開部１０と、スキャナ部１１と、スキャン画像処理部１２と、画像蓄積部１３と、付加情報検出装置１００としての複写禁止情報検出部１４と複写許可条件情報検出部１５と、制御部１６と、背景地紋画像生成部１７と、画像合成部１８と、プリント部１９と、ユーザインターフェース部２０とを備えている。
【００１４】
画像展開部１０は、ＬＡＮ等のネットワークを介して、プリント記述言語（ＰＤＬ）で記述されたプリントデータを入力する。画像展開部１０は、入力したプリントデータの展開処理を行って、画像データを生成する。生成された画像データは画像蓄積部１３に出力され蓄積される。
【００１５】
スキャナ部１１は、プラテンガラス上に置かれた原稿を読み取り、読み取った画像データをスキャン画像処理部１２に出力する。スキャナ部１１の構成を図２に示す。スキャナ部１１は、プラテンガラス１２１上に置かれた原稿の画像情報を読み取るための光を原稿に投光する光源ランプ１２２と、プラテンガラス１２１上に置かれた原稿を押さえて光源ランプ１２２によって投光された光を効率よく反射させるためのプラテンカバー１２０と、光源ランプ１２２の光によって原稿からの反射光を光電変換素子１２９（ＣＣＤ＝Ｃｈａｒｇｅ Ｃｕｏｐｌｅ Ｄｅｖｉｃｅ）まで誘導する第１反射鏡１２３、第２反射鏡１２５、第３反射鏡１２６と、第３反射鏡１２６と光電変換素子１２９との間に配置され、第３反射鏡１２６から反射された光を結象するための結象レンズ１２８とを備えている。
【００１６】
光源ランプ１２２と第１反射鏡１２３は、原稿の画像情報を走査可能なように所定方向（図中の矢印１３１の示す方向）に所定速度（図中の速度Ｖ）で移動可能な第１キャリッジ１２４に一体化されて収納され、第２反射鏡１２５と第３反射鏡１２６は、第１キャリッジ１２４の移動に伴い、第１キャリッジ１２４の移動速度（Ｖ）の略半分の速度で移動可能な第２キャリッジ１２７に一体化されて収納されている。
【００１７】
また、スキャナ部１１には、原稿サイズを求める原稿サイズ検出部が設けられている。図３は、プラテンカバー１２０を開けた状態での原稿載置部１０１の構成を示す図である。第１キャリッジ１２４は、主走査方向の全域を同時に露光する光源１２２を搭載し、副走査方向に移動して原稿面を露光走査する。第１キャリッジ１２４は、原稿のイメージデータの画素数に基づいて、主走査方向の原稿サイズを決定する為に、原稿を抑えるプラテンカバー１２０で原稿が抑えられる直前、或いはプラテンカバー１２０が空いたままの状態である場合には、複写を開始する操作が行われて原稿全体を走査してイメージデータを読み取る直前に、所定の位置で原稿載置部１０１に載置される原稿のイメージデータを１ラインだけ読み取る。
また、副走査方向検知センサ１１１は、例えば特定反射型センサであり、原稿載置部１０１に載置される原稿の有無を検知するものである。図中に示さない原稿サイズ決定部は、主走査方向検知センサ１２４により読み取られる原稿のイメージデータから原稿のエッジ位置を検知して、原稿のエッジ間の画素数から原稿載置部１０１に載置される原稿の主走査方向の長さを判定し、この原稿の主走査方向の長さと副走査方向検知センサ１１１により検知された原稿載置部１０１に載置される原稿の有無に基づいて、原稿サイズを決定する。
【００１８】
さらに、原稿載置部１０１には、プラテンカバー１２０の開閉角度を検知する角度検知センサ１３０が設けられている。この角度検知センサ１３０は、プラテンカバー１２０の開閉角度が所定の角度θ以下の場合にはＯＮ状態となり、プラテンカバー１２０の開閉角度が所定の角度θを越えるとＯＦＦ状態となるように構成されている。角度検出センサ１３０からの検出信号は、制御部１６に出力される。
【００１９】
スキャン画像処理部１２は、入力した画像データに対して、色補正、色空間変換、スクリーン処理等を行い、画像処理後の画像データを画像蓄積部１３に蓄積する。
【００２０】
画像合成部１８は、画像蓄積部１３から画像データを読み出して印字部１９に出力する。また、制御部１６によって背景地紋画像を合成するように設定されている場合、画像蓄積部１３からの画像データの読み出しに同期して、画像合成部１８内のメモリに蓄積された背景地紋画像データを読み出して、画像データの所定の色プレーンに論理和（ＯＲ）合成を行い、合成画像データをプリント部１９へ出力する。プリント部１９は、画像合成部１８から出力される合成画像データ、または画像データを用紙上に記録する。
【００２１】
本実施例の画像形成装置は、背景地紋画像が埋め込まれた機密文書から、背景地紋画像に埋め込まれた付加情報を読み取って、許可されたユーザにだけ機密文書を印刷できるように構成されている。
背景地紋画像に埋め込まれる付加情報には以下のものがある。
（Ａ）・・・複写禁止情報（コピー禁止とするか否か）
（Ｂ）・・・複写許可条件情報（条件が合致する場合にはコピーを許可するための情報）
例えば、暗証番号、複写を許可するユーザＩＤ番号（社員番号等）、複写禁止を解除する日時、複写を許可する複写機の機械番号
（Ｃ）・・・潜像情報（コピーすると浮き上がる潜像に関する情報）
例えば、潜像の文字列、フォント種類、フォントサイズ、潜像文字列の方向（角度）、背景地紋画像色
【００２２】
ここで、背景地紋画像について図４を参照しながら詳細に説明する。背景地紋画像は、潜像画像ＩＰと、出力画像Ｏの全面にわたる背景パターンＰＢとから構成される。
【００２３】
背景パターンＰＢと潜像画像ＩＰとは、それぞれを構成するパターンが異なる。しかし、人間の目には全面均一のグレイ背景として見える様に、単位面積あたりの画素面積及び画素色が同一なパターンにより出力画像Ｏを形成する。
【００２４】
潜像画像ＩＰは、複写された文書において、潜像画像ＩＰが人間の目で識別できる程度に画像が浮かびあがるよう、他の部分のよりも細かいドットで構成されている。
【００２５】
背景パターンＰＢは、コードから構成される。コードは、任意のコードデータを表す条件コードＣＤと、複写を制限する禁複写コードＣＰとから構成される。
【００２６】
コードは、任意のコードデータを表す斜線パターンＰＳから構成される。斜線パターンＰＳは、走査方向Ｄに対し反時計回りに４５度傾いた半直線で表されるものがコードデータのビット０を、１３５度傾いたものがコードデータのビット１を表す。
【００２７】
禁複写コードＣＰは、全斜線パターンＰＳがビット０を表すものとビット１を表すものとから構成される。禁複写コードＣＰは、２種類の禁複写コードＣＰを所定個数以上検出した場合に、複写が制限された原稿であると判断する為に使用される。
【００２８】
条件コードＣＤは、同期コード領域ＡＳとデータコード領域ＡＣとから構成される。
同期コード領域ＡＳとは、データコード領域ＡＣを囲む所定サイズの矩形領域の外周がすべてビット１を表す斜線パターンＰＳ１で構成されているコード領域を言う。
データコード領域には、暗証番号、複写を許可するユーザＩＤ番号（社員番号等）、複写禁止を解除する日時、複写を許可する複写機の機械番号等が符号化され、条件コードＣＤとして埋め込まれている。
【００２９】
次に、複写禁止情報検出部１４について図５を参照しながら説明する。図５には、複写禁止情報検出部１４の詳細な構成を示す。
スキャナ部１１から出力された画像データは、グレースケール変換部２１に入力され、フルカラーからグレースケールに変換される。その後、２値化処理部２２によって２値化される。
【００３０】
２値化された画像データは、ノイズ除去処理部２３に入力され、ノイズ除去処理が行われる。具体的には、黒画素が連結している画素塊を求め、その画素塊の大きさ（連結画素数）が所定の範囲に収まっていない画素塊の各画素を白画素に置き換える。上記所定の範囲は、斜線パターンは削除されず、それ以外のパターン（孤立ドットパターンや文書ン中の文字や図形等）が削除されるように適切な範囲が設定されている。
【００３１】
ノイズ除去された画像データは、パターン検出部２４に入力され、２種類の斜線パターンの検出処理が行われ、その結果が１画素２ビットの画像データとして出力される。具体的には、画像データ中の各画素の位置で図６（Ａ）、（Ｂ）のパターンを当てはめて、テンプレートマッチングによって検出を行う。ここで、図６に示すパターン（Ａ）が検出された場合、画素値０を出力し、図６に示すパターン（Ｂ）が検出された場合、画素値１を出力し、パターンが検出されない場合、画素値２を出力する。
【００３２】
パターン検出処理部２４から出力された画像データは、ブロック化処理部２５に入力される。ここで、ブロックサイズは、複写禁止コード、条件コードのサイズの半分よりも小さいサイズとし、コードの中に１個以上のブロックが完全に含まれるようなサイズに設定されている。ブロック化処理部２５は、入力された画像データを所定サイズのブロックに分割し、個数算出部２６に出力する。
【００３３】
個数算出部２６は、ブロック内に画素値０の画素の個数、および画素値１の画素をそれぞれ算出し、その結果を比率算出部２７へ出力する。また、その合計を判定処理部２８へ出力する。比率算出部２７は、画素値０の画素の比率を算出し、その結果を判定処理部２８へ出力する。
【００３４】
判定処理部２８は、個数算出部２６から入力された合計個数および比率算出部２７から入力された比率を元にして、判定処理を行う。
【００３５】
ここで、今処理しているブロックの内部が全ビット０の複写禁止コードの内部に位置している場合、ブロック内部には所定個数以上のビット０に対応する斜線パターンが検出され、かつビット１に対応する斜線パターンはほとんど検出されないため、ビット０に対応する斜線パターンの比率が高くほとんど１．０に近いはずである。
【００３６】
また、今処理しているブロックの内部が全ビット１の複写禁止コードの内部に位置している場合、ブロック内部には所定個数以上のビット１に対応する斜線パターンが検出され、かつビット０に対応する斜線パターンはほとんど検出されないため、ビット０に対応する斜線パターンの比率は低くほとんど０．０に近いはずである。
【００３７】
また、今処理しているブロックが条件コードの少なくとも一部を含む場合、ブロック内部には複数のビット０に対応する斜線パターンおよび複数のビット１に対応する斜線パターンが検出されるため、ビット０に対応する斜線パターンの比率は１．０よりもかなり低く、０よりもかなり高くなるはずである。
【００３８】
また、もし入力された画像データが複写禁止情報を埋め込まれた画像であれば、画像中には、ブロックの内部が全ビット０の複写禁止コードと、ブロックの内部が全ビット１の複写禁止コードとがそれぞれ複数個埋め込まれているはずである。
【００３９】
以上の特性を利用して、下記のような判定処理を行う。
合計個数＞第１しきい値、かつ、比率＞第２しきい値の場合は、そのブロックは複写禁止コード０と判定する。
合計個数＞第１しきい値、かつ。（１−比率）＞第２しきい値の場合は、そのブロックは複写禁止コード１と判定する。
上記以外の場合は、そのブロックは複写禁止コードではないと判定する。また、第１しきい値は、ブロックサイズとパターンサイズからブロックに含まれる値論的なパターン個数にマージンを加味して設定する。第２しきい値は、１．０に近い値を設定する。
【００４０】
判定処理部２８は、複写禁止コード０と判定されたブロック数、および複写禁止コード１と判定されたブロック数をそれぞれ別々にカウントする。複写禁止コード０と判定されたブロック数がしきい値３以上となり、かつ複写禁止コード０と判定されたブロック数がしきい値３以上となった場合、その画像を複写禁止文書と判定し、その判定結果を制御部１６へ出力する。
【００４１】
次に、複写許可条件情報検出部１５の詳細について図７を参照しながら説明する。
スキャナ部１１から出力された画像データはグレースケール変換部３１に入力され、フルカラーからグレースケールに変換された後に、２値化処理部３２によって２値化される。
【００４２】
２値化された画像データはノイズ除去処理部３３に入力され、ノイズ除去処理３３が行われる。ノイズが除去された画像データは、パターン検出処理部３４に入力され、２種類の斜線パターンの検出処理が行われ、その処理結果のデータがバッファメモリ３５に格納される。この画像データは、ビット０に対応する斜線パターンが検出された位置の画素値は０、ビット１に対応する斜線パターンが検出された位置の画素値は１、それ以外は２の値を持った１画素２ビットの画像データとなっている。
【００４３】
バッファメモリ３５に格納された画像データは、スキュー角検出処理部３６に入力され、スキュー角度の検出が行われる。ここでは、入力画像データのスキュー角度を求める。具体的な方式としては、画素値０または１のみの画素のハフ変換を行い、その角度軸上への投影分布のピークを求めることによって行われる。求めたスキュー角度はコード検出部３７へ出力される。
【００４４】
また、バッファメモリ３５に格納された画像データが読み出されてコード検出部３７へ入力され、２次元コードの検出が行われる。具体的には、求めたスキュー角度に画像をスキャンして０または１の画素値（ビットの０または１に対応している）を取り出す。取り出された、ビット列から同期コードを見つけ出す。同期コードは、所定の縦横サイズの矩形領域の外周がすべてビット１で構成されているコードとして定義されている。この同期コードに囲まれたビット配列が２次元コード（条件コード）となっている。このビット配列を１次元のビット列に並べ替えて誤り訂正復号部３８へ出力する。
【００４５】
誤り訂正復号部３８では、入力されたビット列に対して、所定の誤り訂正復号処理を行い、条件情報として復号する。復号された複写許可条件情報は制御部１６へ出力される。
【００４６】
次に、図８を参照しながら背景地紋画像生成部１７について説明する。
。背景地紋画像生成部１７には、制御部１６から付加情報（複写禁止情報、条件情報、潜像情報）が入力される。このうち複写禁止情報と複写許可条件情報は付加情報符号化部４２へ入力され、潜像情報は潜像生成部４１に入力される。
【００４７】
潜像生成部４１は、入力された潜像情報を元に潜像画像を生成する。潜像情報とは、パターン画像の中にどのような潜像文字を埋め込むかを示す情報であり、具体的には潜像の文字列、フォント種類、フォントサイズ、潜像文字列の方向（角度）等の情報からなる。潜像生成部４１は、潜像情報を受け取ると、指定されたフォント種類、フォントサイズで、指定された方向に潜像文字列の描画を行い、２値の潜像画像として生成する。生成した潜像画像は付加情報符号化部４２へ出力される。なお、潜像画像の解像度は、プリンタの解像度を後述するパターンのサイズで割った解像度となる。例えば、プリンタ解像度が６００ｄｐｉ、パターンのサイズが１２画素×１２画素の場合、潜像画像の解像度は５０ｄｐｉとなる。
【００４８】
付加情報符号化部４２は、入力された複写禁止情報及び条件情報の符号化を行う。まず、複写禁止情報がプリント出力を行った文書を画像形成装置で複写させないようにすること示す場合、図９（Ａ）、（Ｂ）に示す２種類の複写禁止コードを生成する。ここで、図９（Ａ）の複写禁止コードは、コード内部が全てビット０となっており、図９（Ｂ）の複写禁止コードは、コード内部が全てビット１となっていることが特徴である。複写禁止情報が入力されない場合、もしくはプリント出力を行った文書を画像形成装置で複写させないようにすることを示すものではない場合、図９（Ａ）および（Ｂ）に示す２種類のコードの生成は行われない。
【００４９】
次に、条件情報が入力されている場合、その条件情報に対して誤り訂正符号を行い、図９（Ｃ）に示すような条件コードを生成する。図９（Ｃ）のコードは、ビット０およびビット１の配列によって、符号化された条件情報のビット列を表している。コードの外周は、コードの位置決めを容易にするために特殊なビットパターンとなっている。
【００５０】
次に、生成したコードを図１０（Ａ）に示すように複数個繰り返し配置し、潜像画像の大きさと同じ大きさのパターン番号配列を生成する。ここで、図の斜線ハッチングされた矩形が図９（Ａ）の複写禁止コード、縦線ハッチングされた矩形が図９（Ｂ）の複写禁止コード、ドットハチングされた矩形が図９（Ｃ）の条件コードとなっている。もし、複写禁止コードが生成されなかった場合には、図中の複写禁止コードの部分には条件コードを配置する。また、もし条件コードが生成されなかった場合には、図中の条件コードの部分には複写禁止コードを配置する。この時点で、パターン番号配列の各要素の値は０または１になっている。
【００５１】
次に、潜像画像を参照し、潜像画像中の黒画素の座標に対応するパターン番号配列の要素のパターン番号を２に変更する。これを潜像画像中の全ての黒画素について行うと、パターン番号配列は、複写禁止コード、条件コードが並べて配置された背景にパターン番号２で潜像文字が描かれた状態となる。この状態を図１０（Ｂ）に示す。図中の黒色の「COPY」の部分が、パターン配列番号を２に変更された部分を示す。このパターン番号配列をパターン画像生成部４４へ出力する。
【００５２】
パターン画像生成部４４は、入力されたパターン番号配列の各要素を参照し、そのパターン番号に対応したパターンをパターン格納部４３から読み出してパターン画像に変換することで、背景地紋画像を生成する。生成された背景地紋画像は、画像合成部１８内のメモリ（不図示）に格納される。
【００５３】
本実施例の画像形成装置１は、制御コードの検出を早期に行い、機密情報が複写されてしまうのを防止する技術を提案する。このため、プラテンカバー１２０の半開状態を検出すると、原稿載置台上に置かれた原稿の画像をバックスキャンによって読み取り、制御コードを検出する。このバックスキャンによる読み取り動作を行うことによって、通常のコピー動作を開始する前に原稿が制御コードの埋め込まれた複写禁止原稿であるのか、一般原稿であるのかを判定する。また、バックスキャンによる読み取りなので、原稿画像の読み取りの際には、読み取り開始位置にキャリッジを配置することができる。
【００５４】
図１１に示すフローチャートを参照しながら本実施例の動作手順を説明する。
複写開始のスタートボタンが押下される前に（ステップＳ１／ＮＯ）、プラテンカバー１２０が開かれるのを角度検出センサ１３０で検出すると、キャリッジを読み取り開始位置とは反対側の読み取り完了位置に移動させる（ステップＳ３）。次に、角度検出センサ１３０で、プラテンカバー１２０の半閉状態を検出するまで待機する（ステップＳ４）。
【００５５】
プラテンカバー１２０の半閉状態を検出すると（ステップＳ４／ＹＥＳ）、タイマのカウントを開始させ（ステップＳ５）、キャリッジ１２４、１２７を読み取り開始位置方向に移動させて、原稿画像を読み取る。読み取られた画像データは複写禁止情報検出部１４、複写許可条件情報検出部１５に送られ、制御コードの検出が行われる。
【００５６】
次に、原稿サイズ検知センサ１１１による原稿サイズの検知処理が終了すると（ステップＳ７）、複写禁止情報検出部１４、複写許可条件情報検出部１５の検出結果から制御部１６は、原稿が一般原稿であるのか、制御コード付きの原稿であるのかを判定する（ステップＳ８）。原稿画像が一般原稿ではなく（ステップＳ８／ＮＯ）、制御コード付きの原稿であると判定すると、制御コードによって複写禁止情報が埋め込まれているか否かを制御部１６は判定する（ステップＳ１５）。複写禁止情報が原稿中に埋め込まれていない場合には（ステップＳ１５／ＮＯ）、画像データをプリンタ部１９に出力して画像の形成を行う。また、複写禁止情報が原稿中に埋め込まれていた場合には（ステップＳ１５／ＹＥＳ）、制御部１６は、プリンタ部１９の動作を停止させ、アラーム音をユーザインターフェース部２０から出力する。
【００５７】
また、原稿画像が一般原稿であると判定した場合には（ステップＳ８／ＹＥＳ）、コピー開始のスタートボタンが押下されるのを待機する（ステップＳ９）。スタートボタンが押下されると（ステップＳ９／ＹＥＳ）、タイマのカウントを停止させて、タイマのカウント時間を予め設定した所定時間と比較する（ステップＳ１１）。タイマのカウント時間が所定時間よりも長かった場合には（ステップＳ１１／ＮＯ）、原稿載置台上に置かれた原稿のすり替えが行われている可能性があると判定し、アラーム音をユーザインターフェース部から出力する（ステップＳ１３）。また、タイマのカウント時間が所定時間よりも短かった場合には、原稿画像の読み込み処理と並行して、処理後の画像データをプリンタ部１９に出力してプリントアウトを開始させる（ステップＳ１２）。
【００５８】
このように本実施例は、複写の開始ボタンが押下される前に、原稿画像が一般原稿であるのか、制御コード付きの原稿であるのかを判定している。このため、一般原稿の場合にはＦＣＯＴを短くすることができる。また制御コード付きの原稿の場合には、誤って機密情報が複写されてしまう不具合を生じない。
【００５９】
上述した実施例は本発明の好適な実施例である。但し、これに限定されるものではなく、本発明の要旨を逸脱しない範囲内において種々変形実施可能である。例えば、キャリッジ１２４、１２７のホームポジションを右端にして、常に右端からバックスキャンするようにしてもよい。また、キャリッジのホームポジションをプラテンガラスの中央にしてそこから左にバックスキャンしてもよい。
【図面の簡単な説明】
【００６０】
【図１】画像形成装置の構成を示すブロック図である。
【図２】スキャナ部の構成を示す図である。
【図３】原稿載置部の構成を示す図である。
【図４】背景地紋画像を示す図である。
【図５】複写禁止情報検出部の構成を示すブロック図である。
【図６】テンプレートマッチングに使用される画像の一例を示す図である。
【図７】複写許可条件情報検出部の構成を示すブロック図である。
【図８】背景地紋画像生成部の構成を示すブロック図である。
【図９】複写禁止情報及び条件情報を示す図である。
【図１０】パターン番号配列を示す図である。
【図１１】処理手順を示すフローチャートである。
【符号の説明】
【００６１】
１  画像形成装置
１０  画像展開部
１１  スキャナ部
１２  スキャン画像処理部
１３  画像蓄積部
１４  複写禁止情報検出部
１５  複写許可条件情報検出部
１６  制御部
１７  背景地紋画像生成部
１８  画像合成部
１９  プリント部
２０  ユーザインターフェース部
１２０  プラテンカバー
１３０  角度検出センサ
【図１】
2007166228.tif 000003
【図２】
2007166228.tif 000004
【図３】
2007166228.tif 000005
【図４】
2007166228.tif 000006
【図５】
2007166228.tif 000007
【図６】
2007166228.tif 000008
【図７】
2007166228.tif 000009
【図８】
2007166228.tif 000010
【図９】
2007166228.tif 000011
【図１０】
2007166228.tif 000012
【図１１】
2007166228.tif 000013